(57)【要約】【課題】チャンネルスキャンの選局順序を最適化してロックアップタイムを短縮し、チューナのチャンネルスキャン時間を短縮すること。【解決手段】チューナ部１と、複数の発振バンドに分割されていて発振バンド毎にチューニング電圧を可変させて選局チャンネルに対応した発振周波数の発振信号を生成する発振部１４と、前記発振部１４に印加するチューニング電圧を切り替えて選局チャンネルを連続的に切り替えるホスト４とを具備した放送信号受信装置において、選局チャンネルを切り替える際のチューニング電圧の変化量が、発振バンドに含まれる最小チャンネルを選局時のチューニング電圧と最大チャンネルを選局時のチューニング電圧との電圧差よりも小さくなるように選局チャンネルを順次切り替えてチャンネルスキャンを行う。【選択図】図１
2009232355.tif 000002
【特許請求の範囲】
【請求項１】
複数チャンネルを含んだ放送信号を受信する一方で、複数の発振バンドに分割された発振回路に選局チャンネルに応じたチューニング電圧を印加して発振信号を生成し、前記複数チャンネルを含んだ放送信号に前記発振信号を混合して選局チャンネルの信号を取り出し、前記発振バンド及び前記チューニング電圧を制御して選局チャンネルを連続的に切り替えるチャンネルスキャン方法であって、
選局チャンネルを切り替える際の前記チューニング電圧の変化量が、前記発振バンドに含まれる最小チャンネルを選局時のチューニング電圧と最大チャンネルを選局時のチューニング電圧との電圧差よりも小さくなるように、選局チャンネルを順次切り替えてチャンネルスキャンを行うことを特徴とするチャンネルスキャン方法。
【請求項２】
全発振バンドに亘る全てのチャンネルを各チャンネル選局時のチューニング電圧でグループ分けし、任意の発振バンド内でチューニング電圧が最も低い電圧値のチャンネルからスキャンを開始して当該グループ内のチャンネルの選局が完了したら、直前に選局したグループのチューニング電圧から最も変化量の小さいチューニング電圧となる次グループへ移行して当該グループのチャンネルを順次選局し、チューニング電圧の高いグループへ順次移行していくことを特徴とする請求項１記載のチャンネルスキャン方法。
【請求項３】
任意の発振バンド内でチューニング電圧が最も低い電圧値のチャンネルからスキャンを開始して、他の発振バンド内で当該スキャン開始チャンネルと同一のチューニング電圧又は同一発振バンド内で隣接するチャンネル選局時よりもよりも変化量の小さい所定範囲内のチューニング電圧となるチャンネルを順次選局し、
同一又は所定範囲内のチューニング電圧となるチャンネルの選局が終了したら、最後の選局済みチャンネルと同一発振バンド内で隣接する未選局チャンネルを選局し、当該チャンネルと同一のチューニング電圧又は前記所定範囲内のチューニング電圧となるチャンネルを他の発振バンド内から順次選局し、以下同様にしてチューニング電圧を順次高くしていくことを特徴とする請求項１又は請求項２記載のチャンネルスキャン方法。
【請求項４】
全発振バンドに亘る全てのチャンネルを各チャンネル選局時のチューニング電圧でグループ分けし、任意の発振バンド内でチューニング電圧が最も高い電圧値のチャンネルからスキャンを開始して当該グループ内のチャンネルの選局が完了したら、直前に選局したグループのチューニング電圧から最も変化量の小さいチューニング電圧となる次グループへ移行して当該グループのチャンネルを順次選局し、チューニング電圧の低いグループへ順次移行していくことを特徴とする請求項１記載のチャンネルスキャン方法。
【請求項５】
任意の発振バンド内でチューニング電圧が最も高い電圧値のチャンネルからスキャンを開始して、他の発振バンド内で当該スキャン開始チャンネルと同一のチューニング電圧又は同一発振バンド内で隣接するチャンネル選局時よりもよりも変化量の小さい所定範囲内のチューニング電圧となるチャンネルを順次選局し、
同一又は所定範囲内のチューニング電圧となるチャンネルの選局が終了したら、最後の選局済みチャンネルと同一発振バンド内で隣接する未選局チャンネルを選局し、当該チャンネルと同一のチューニング電圧又は前記所定範囲内のチューニング電圧となるチャンネルを他の発振バンド内から順次選局し、以下同様にしてチューニング電圧を順次低くしていくことを特徴とする請求項１又は請求項２記載のチャンネルスキャン方法。
【請求項６】
低域の発振バンド内でチューニング電圧が最も低い電圧値のチャンネルからスキャンを開始してチューニング電圧を順次高くして当該発振バンド内で隣接するチャンネルを順番に選局し、当該発振バンド内でチューニング電圧の最も高いチャンネルに到達したら、次に高域側に隣接する発振バンドにおいてチューニング電圧の最も高いチャンネルへ移行してチューニング電圧を順次低くして当該発振バンド内で隣接するチャンネルを順番に選局し、当該発振バンド内でチューニング電圧の最も低いチャンネルに到達したら、次に高域側に隣接する発振バンドにおいてチューニング電圧の最も低いチャンネルへ移行し、以下同様にして発振バンド毎に選局を繰り返すことを特徴とする請求項１記載のチャンネルスキャン方法。
【請求項７】
高域の発振バンド内でチューニング電圧が最も高い電圧値のチャンネルからスキャンを開始してチューニング電圧を順次低くして当該発振バンド内で隣接するチャンネルを順番に選局し、当該発振バンド内でチューニング電圧の最も低いチャンネルに到達したら、次に低域側に隣接する発振バンドにおいてチューニング電圧の最も低いチャンネルへ移行してチューニング電圧を順次高くして当該発振バンド内で隣接するチャンネルを順番に選局し、当該発振バンド内でチューニング電圧の最も高いチャンネルに到達したら、次に低域側に隣接する発振バンドにおいてチューニング電圧の最も高いチャンネルへ移行し、以下同様にして発振バンド毎に選局を繰り返すことを特徴とする請求項１記載のチャンネルスキャン方法。
【請求項８】
複数チャンネルを含んだ放送信号に発振信号を混合して選局チャンネルの信号を取り出すチューナ部と、複数の発振バンドに分割されていて発振バンド毎にチューニング電圧を可変させて選局チャンネルに対応した発振周波数の発振信号を生成する発振部と、前記発振部に印加するチューニング電圧を切り替えて選局チャンネルを連続的に切り替えるチャンネルスキャンを行う制御部とを具備した放送信号受信装置であって、
前記制御部は、選局チャンネルを切り替える際の前記チューニング電圧の変化量が、前記発振バンドに含まれる最小チャンネルを選局時のチューニング電圧と最大チャンネルを選局時のチューニング電圧との電圧差よりも小さくなるように、選局チャンネルを順次切り替えてチャンネルスキャンを行うことを特徴とする放送信号受信装置。
【発明の詳細な説明】
【技術分野】
【０００１】
本発明は、複数のオシレータバンドを持つチューナ部におけるチャンネルスキャン方法及び放送信号受信装置に関する。
【背景技術】
【０００２】
現在、デジタルテレビジョン放送では多数のチャンネルが存在しており、チューナの電源起動時にいずれのチャンネルに放送信号が入っているか否かを把握するためのチャンネルスキャンを実施している。なお、デジタルテレビジョン放送信号に限らず、複数のチャンネルが存在する放送信号を受信する場合、事前にチャンネルスキャンを実施して放送信号が入っているチャンネルを確認することができる。
【０００３】
従来の放送信号受信装置に搭載されたチューナでは、電源起動時に１チャンネル（低域側）から最大チャンネル（高域側）まで順番に選局していき、ホスト側のプログラムがいずれのチャンネルに放送信号が入っているか否かを把握している。
【０００４】
チューナにおいて選局を行う場合、受信したい放送信号（希望チャンネル）を定められたベースバンド周波数信号に変換するため、ＶＣＯから放送信号（希望チャンネル）とベースバンド周波数だけ違った発振信号を発振させる必要がある。たとえば、ＰＬＬ回路からＶＣＯに対して発振信号を設定可能な大きさのチューニング電圧Ｖｔを供給してＶＣＯの発振周波数を決定している（例えば、特許文献１参照）。特許文献１記載のＰＬＬ回路は、与えられたデータに基づいて、ＶＣＯから放送信号とベースバンド周波数だけ違った発振信号を発振させるに必要なリファレンス信号を発生させ、そのリファレンス信号とＶＣＯで発振された発振周波数を位相比較し、位相比較して得られた位相誤差信号でチャージポンプをチャージしてチューニング電圧Ｖｔを発生させ、そのチューニング電圧ＶｔでＶＣＯの発振周波数を変化させている。
【０００５】
ところで、チャンネルスキャンが行なわれる放送信号は広帯域であるので、ＯＳＣバンドを複数バンドに分割し、１つのバンド内でのチューニング電圧Ｖｔの可変範囲を抑え、各バンドにおいてチューニング電圧Ｖｔを低電圧（低域側チャンネル）から高電圧（高域側チャンネル）に振っている。
【０００６】
図４はＯＳＣバンドを３バンドに分割した場合のチューニング電圧Ｖｔと発振周波数との関係を示す図である。例えば、第１のバンド内では各チャンネルの発振周波数を１Ｖから３０Ｖの間のチューニング電圧Ｖｔで選局可能とし、低域側チャンネルから高域側チャンネルにチャンネルスキャンするためにはチューニング電圧Ｖｔを１Ｖから３０Ｖへ所定ステップで上げていくことになる。第２及び第３のバンドにおいてもバンド内での各チャンネルの発振周波数を１Ｖから３０Ｖの間のチューニング電圧Ｖｔで選局可能とし、低域側チャンネルから高域側チャンネルにチャンネルスキャンするためにチューニング電圧Ｖｔを１Ｖから３０Ｖへ所定ステップで上げていくことになる。
【０００７】
したがって、第１のバンドの最大チャンネルと第２のバンドの最小チャンネルとは隣り合うチャンネルであるが、第１のバンドの最大チャンネルを選局する際のチューニング電圧Ｖｔは最大電圧（３０Ｖ）であり、第２のバンドの最小チャンネルを選局する際のチューニング電圧Ｖｔは最低電圧（１Ｖ）となる。
【０００８】
従来のチューナにおいてチャンネルスキャンを実施する場合、例えば第１のバンドの最少チャンネルから選局を開始し、チャンネル番号を第３のバンドの最大バンドまで順番に上げていた。このため、第１のＯＳＣバンドの最大チャンネルから第２のＯＳＣバンドの最小チャンネルに切り替わる際にはチューニング電圧Ｖｔを最大電圧（３０Ｖ）から最低電圧（１Ｖ）に変化させていた。同様に、第２のＯＳＣバンドの最大チャンネルから第３のＯＳＣバンドの最小チャンネルに切り替わる際にもチューニング電圧Ｖｔを最大電圧（３０Ｖ）から最低電圧（１Ｖ）に変化させていた。また、チャンネルスキャン方向を逆にした場合も、ＯＳＣバンドの境界でチューニング電圧Ｖｔを最低電圧（１Ｖ）から最大電圧（３０Ｖ）に変化させていた。
【特許文献１】特開２００２−２６１６０６号公報
【発明の開示】
【発明が解決しようとする課題】
【０００９】
以上のように１チャンネルステップで順番にチャンネル番号を増加又は減少させるようにチャンネルスキャンを行うと、隣接するＯＳＣバンドの境界を跨ぐ際に、チューニング電圧Ｖｔを最低電圧（１Ｖ）から最大電圧（３０Ｖ）又は最大電圧（３０Ｖ）から最低電圧（１Ｖ）に変化させる必要があった。
【００１０】
しかしながら、チャンネルスキャンの途中でチューニング電圧Ｖｔが大きく変化するので、ＰＬＬ回路にチャンネル選局指令を与えてからＯＳＣの発振周波数が固定してチューナでの選局が完了するまでの時間であるロックアップタイムが長くなるといった問題があった。
【００１１】
本発明は、かかる点に鑑みてなされたものであり、チャンネルスキャンの選局順序を最適化してロックアップタイムを短縮し、チャンネルスキャンに要する時間を短縮することのできるチューナ部のチャンネルスキャン方法及び放送信号受信装置を提供することを目的とする。
【課題を解決するための手段】
【００１２】
本発明のチャンネルスキャン方法は、複数チャンネルを含んだ放送信号を受信する一方で、複数の発振バンドに分割された発振回路に選局チャンネルに応じたチューニング電圧を印加して発振信号を生成し、前記複数チャンネルを含んだ放送信号に前記発振信号を混合して選局チャンネルの信号を取り出し、前記発振バンド及び前記チューニング電圧を制御して選局チャンネルを連続的に切り替えるチャンネルスキャン方法であって、選局チャンネルを切り替える際の前記チューニング電圧の変化量が、前記発振バンドに含まれる最小チャンネルを選局時のチューニング電圧と最大チャンネルを選局時のチューニング電圧との電圧差よりも小さくなるように、選局チャンネルを順次切り替えてチャンネルスキャンを行うことを特徴とする。
【００１３】
この構成によれば、選局チャンネルを切り替える際の前記チューニング電圧の変化量が、発振バンドに含まれる最小チャンネルを選局時のチューニング電圧と最大チャンネルを選局時のチューニング電圧との電圧差よりも小さくなるように選局順序を最適化しているので、チャンネルスキャン時においてチューニング電圧が大きく変化することによりロックアップタイムが長くなることを防止でき、チャンネルスキャン時間の短縮を図ることができる。
【００１４】
また本発明は、上記チャンネルスキャン方法において、全発振バンドに亘る全てのチャンネルを各チャンネル選局時のチューニング電圧でグループ分けし、任意の発振バンド内でチューニング電圧が最も低い電圧値のチャンネルからスキャンを開始して当該グループ内のチャンネルの選局が完了したら、直前に選局したグループのチューニング電圧から最も変化量の小さいチューニング電圧となる次グループへ移行して当該グループのチャンネルを順次選局し、チューニング電圧の高いグループへ順次移行していくことを特徴とする。
【００１５】
この構成により、チューニング電圧が同じグループのチャンネルが全発振バンドから順次選局され、同一グループ内のチャンネル選局が完了したら、チューニング電圧の変化量の小さい次グループへ移行して同様の選局が行われるので、チャンネルを切り替える際のチューニング電圧の変化量をチャンネルスキャンの全期間に亘り最小限に抑えることができ、チューニング電圧が大きく変化することによりロックアップタイムが長くなることを防止でき、チャンネルスキャン時間の短縮を図ることができる。
【００１６】
また本発明は、上記チャンネルスキャン方法において、任意の発振バンド内でチューニング電圧が最も低い電圧値のチャンネルからスキャンを開始して、他の発振バンド内で当該スキャン開始チャンネルと同一のチューニング電圧又は同一発振バンド内で隣接するチャンネル選局時よりもよりも変化量の小さい所定範囲内のチューニング電圧となるチャンネルを順次選局し、同一又は所定範囲内のチューニング電圧となるチャンネルの選局が終了したら、最後の選局済みチャンネルと同一発振バンド内で隣接する未選局チャンネルを選局し、当該チャンネルと同一のチューニング電圧又は前記所定範囲内のチューニング電圧となるチャンネルを他の発振バンド内から順次選局し、以下同様にしてチューニング電圧を順次高くしていくことを特徴とする。
【００１７】
この構成により、チャンネルを切り替える際のチューニング電圧の変化量をチャンネルスキャンの全期間に亘り最小限に抑えることができ、さらにグループ内の選局が終了したら最後の選局済みチャンネルと同一発振バンド内で隣接する未選局チャンネルを選局するので、バンド切替回数を抑制することができる。
【００１８】
また本発明は、上記チャンネルスキャン方法において、全発振バンドに亘る全てのチャンネルを各チャンネル選局時のチューニング電圧でグループ分けし、任意の発振バンド内でチューニング電圧が最も高い電圧値のチャンネルからスキャンを開始して当該グループ内のチャンネルの選局が完了したら、直前に選局したグループのチューニング電圧から最も変化量の小さいチューニング電圧となる次グループへ移行して当該グループのチャンネルを順次選局し、チューニング電圧の低いグループへ順次移行していくことを特徴とする。
【００１９】
この構成により、チューニング電圧が同じグループのチャンネルが全発振バンドから順次選局され、同一グループ内のチャンネル選局が完了したら、チューニング電圧の変化量の小さい次グループへ移行して同様の選局が行われるので、チャンネルを切り替える際のチューニング電圧の変化量をチャンネルスキャンの全期間に亘り最小限に抑えることができ、チューニング電圧が大きく変化することによりロックアップタイムが長くなることを防止でき、チャンネルスキャン時間の短縮を図ることができる。
【００２０】
また本発明は、上記チャンネルスキャン方法において、任意の発振バンド内でチューニング電圧が最も高い電圧値のチャンネルからスキャンを開始して、他の発振バンド内で当該スキャン開始チャンネルと同一のチューニング電圧又は同一発振バンド内で隣接するチャンネル選局時よりもよりも変化量の小さい所定範囲内のチューニング電圧となるチャンネルを順次選局し、同一又は所定範囲内のチューニング電圧となるチャンネルの選局が終了したら、最後の選局済みチャンネルと同一発振バンド内で隣接する未選局チャンネルを選局し、当該チャンネルと同一のチューニング電圧又は前記所定範囲内のチューニング電圧となるチャンネルを他の発振バンド内から順次選局し、以下同様にしてチューニング電圧を順次低くしていくことを特徴とする。
【００２１】
この構成により、チャンネルを切り替える際のチューニング電圧の変化量をチャンネルスキャンの全期間に亘り最小限に抑えることができ、さらにグループ内の選局が終了したら最後の選局済みチャンネルと同一発振バンド内で隣接する未選局チャンネルを選局するので、バンド切替回数を抑制することができる。
【００２２】
また本発明は、上記チャンネルスキャン方法において、低域の発振バンド内でチューニング電圧が最も低い電圧値のチャンネルからスキャンを開始してチューニング電圧を順次高くして当該発振バンド内で隣接するチャンネルを順番に選局し、当該発振バンド内でチューニング電圧の最も高いチャンネルに到達したら、次に高域側に隣接する発振バンドにおいてチューニング電圧の最も高いチャンネルへ移行してチューニング電圧を順次低くして当該発振バンド内で隣接するチャンネルを順番に選局し、当該発振バンド内でチューニング電圧の最も低いチャンネルに到達したら、次に高域側に隣接する発振バンドにおいてチューニング電圧の最も低いチャンネルへ移行し、以下同様にして発振バンド毎に選局を繰り返すことを特徴とする。
【００２３】
この構成により、発振バンド内でチューニング電圧の最も高いチャンネルに到達したら、次に高域側に隣接する発振バンドにおいてチューニング電圧の最も高いチャンネルへ移行し、発振バンド内でチューニング電圧の最も低いチャンネルに到達したら、次に高域側に隣接する発振バンドにおいてチューニング電圧の最も低いチャンネルへ移行するので、発振バンドが切り替わる際のチューニング電圧の変化量を抑制することができる。また、発振バンド内で隣接するチャンネルを順番に選局していくので、バンド切替数を抑制することができる。
【００２４】
また本発明は、上記チャンネルスキャン方法において、高域の発振バンド内でチューニング電圧が最も高い電圧値のチャンネルからスキャンを開始してチューニング電圧を順次低くして当該発振バンド内で隣接するチャンネルを順番に選局し、当該発振バンド内でチューニング電圧の最も低いチャンネルに到達したら、次に低域側に隣接する発振バンドにおいてチューニング電圧の最も低いチャンネルへ移行してチューニング電圧を順次高くして当該発振バンド内で隣接するチャンネルを順番に選局し、当該発振バンド内でチューニング電圧の最も高いチャンネルに到達したら、次に低域側に隣接する発振バンドにおいてチューニング電圧の最も高いチャンネルへ移行し、以下同様にして発振バンド毎に選局を繰り返すことを特徴とする。
【００２５】
この構成により、発振バンド内でチューニング電圧の最も低いチャンネルに到達したら、次に低域側に隣接する発振バンドにおいてチューニング電圧の最も低いチャンネルへ移行し、発振バンド内でチューニング電圧の最も高いチャンネルに到達したら、次に低域側に隣接する発振バンドにおいてチューニング電圧の最も高いチャンネルへ移行するので、発振バンドが切り替わる際のチューニング電圧の変化量を抑制することができる。また、発振バンド内で隣接するチャンネルを順番に選局していくので、バンド切替数を抑制することができる。
【００２６】
また本発明の放送信号受信装置は、複数チャンネルを含んだ放送信号に発振信号を混合して選局チャンネルの信号を取り出すチューナ部と、複数の発振バンドに分割されていて発振バンド毎にチューニング電圧を可変させて選局チャンネルに対応した発振周波数の発振信号を生成する発振部と、前記発振部に印加するチューニング電圧を切り替えて選局チャンネルを連続的に切り替えるチャンネルスキャンを行う制御部とを具備した放送信号受信装置であって、前記制御部は、選局チャンネルを切り替える際の前記チューニング電圧の変化量が、前記発振バンドに含まれる最小チャンネルを選局時のチューニング電圧と最大チャンネルを選局時のチューニング電圧との電圧差よりも小さくなるように、選局チャンネルを順次切り替えてチャンネルスキャンを行うことを特徴とする。
【００２７】
この構成により、チャンネルを切り替える際の前記チューニング電圧の変化量が、発振バンドに含まれる最小チャンネルを選局時のチューニング電圧と最大チャンネルを選局時のチューニング電圧との電圧差よりも小さくなるように選局順序を最適化しているので、チャンネルスキャン時においてチューニング電圧が大きく変化することによりロックアップタイムが長くなることを防止でき、チャンネルスキャン時間の短縮を図ることができる。
【発明の効果】
【００２８】
本発明によれば、チャンネルスキャンの選局順序を最適化してロックアップタイムを短縮でき、チューナのチャンネルスキャン時間を短縮することができる。
【発明を実施するための最良の形態】
【００２９】
以下、本発明の一実施の形態について添付図面を参照して詳細に説明する。
図１は本発明のチャンネルスキャン方法を実行する放送信号受信装置の構成例を示す図である。この放送信号受信装置は、複数のＯＳＣバンドを持つチューナ部１と、チューナ部１で受信した放送信号を復調する復調部２と、復調部２で復調された放送信号を映像信号及び音声信号にデコードするＭＰＥＧデコーダ３と、チャンネルスキャン時のチューニング電圧を制御する制御部として機能するホスト４とを主な構成要素としている。
【００３０】
チューナ部１は、図示していないＲＦ部から出力されるＲＦ信号を高周波増幅器１１で増幅してからミキサ１２に入力し、ミキサ１２においてＲＦ信号と局部発振信号とを混合してベースバンド周波数信号に変換し、ベースバンド周波数増幅器１３で増幅してから復調器２へ出力する。ミキサ１２に供給する局部発振信号は局部発振部１４が生成する。局部発振部１４は、３分割されたＯＳＣバンドのバンド毎に第１、第２及び第３の周波数可変発振器１４ａ〜１４ｃを備えている。第１の周波数可変発振器１４ａは、第１のＯＳＣバンド内で発振周波数を可変できるように構成されている。同様に、第２及び第３の周波数可変発振器１４ｂ、１４ｃは、第２及び第３のＯＳＣバンド内でそれぞれ発振周波数を可変できるように構成されている。このように、第１、第２及び第３の周波数可変発振器１４ａ、１４ｂ、１４ｃの発振周波数全体で広帯域の放送信号の全域をカバーする局部発振周波数を供給するようにしている。なお、本例では放送信号の全域をカバーするＯＳＣバンドを３つに分割しているが、分割数はこれに限定されるものではない。また、ＯＳＣバンドの分割数と周波数可変発振器数とは必ずしも一致する必要はない。局部発振部１４で発生した局部発振信号を切替部１５を介してミキサ１２へ供給している。切替部１５は、第１、第２及び第３の周波数可変発振器１４ａ〜１４ｃの出力端子に接続された切替端子１５ａ，１５ｂ，１５ｃを有している。切替部１５に対してホスト４から与えられるバンド切替信号に基づいて第１、第２及び第３の周波数可変発振器１４ａ〜１４ｃの中からいずれかの発振器を選択してミキサ１２に接続する。第１、第２及び第３の周波数可変発振器１４ａ〜１４ｃはＰＬＬ回路１６から与えられるチューニング電圧Ｖｔに応じて発振周波数が変化する。
【００３１】
図２はＰＬＬ回路１６の概略的な構成図である。水晶発振器等で構成される基準信号発振器２１から出力される基準信号ｆＯＳＣを分周器２２で分周数Ｒにて分周した基準信号を位相比較器２４に入力する。一方、周波数可変発振器（１４ａ、１４ｂ、１４ｃ）から出力された発振周波数ｆＶＣＯを分周器２３で分周数Ｎにて分周した信号を位相比較器２４に入力する。位相比較器２４は基準信号と周波数可変発振器（１４ａ、１４ｂ、１４）で発振された発振周波数ｆＶＣＯとを位相比較し、位相比較して得られた位相誤差信号でチャージポンプ２５をチャージしてチューニング電圧Ｖｔを発生させる。発生したチューニング電圧ＶｔをＬＰＦ２６で直流分だけを取り出して周波数可変発振器（１４ａ、１４ｂ、１４ｃ）に印加することで発振周波数を変化させる。分周器２２に設定する分周数Ｒによってチューニング電圧Ｖｔが制御され、チューニング電圧Ｖｔの電圧値によって各ＯＳＣバンドの発振周波数が決まる。
【００３２】
ホスト４は、分周器２２に設定する分周数Ｒを、復調器２を経由してＰＬＬ回路１６に選局指令として与える。ＲＯＭ１７には、チャンネルスキャン時の選局順序データが格納されている。ホスト４は、ＲＯＭ１７から選局順序データを読み出し、当該選局順序データに従った順番で選局指令およびバンド切替信号を出力する。
【００３３】
ここで、ロックアップタイムを短縮するように最適化された選局順序について説明する。
本実施の形態では、チャンネル番号の降順または昇順だけで選局順序を決めるのではなく、チャンネルを切り替える際にチューニング電圧Ｖｔの変化ができるだけ小さくなる順番で選局を行うようにしている。
【００３４】
図３（ａ）〜（ｃ）に最適化された選局順序の一例を示している。説明の都合上、第１のＯＳＣバンドは１チャンネルから３チャンネル、第２のＯＳＣバンドは４チャンネルから６チャンネル、第３のＯＳＣバンドは７チャンネルから９チャンネルがそれぞれ含まれているものとするが、本発明はこのようなチャンネル設定に限定されるものではない。
【００３５】
図３（ａ）に示すように、チャンネルスキャン対象の全チャンネルをチューニング電圧Ｖｔでグループ分けすることができる。本例では、グループ１＝（１Ｃｈ、４ＣＨ、７ＣＨ）、グループ２＝（２Ｃｈ、５ＣＨ、８ＣＨ）、グループ３＝（３Ｃｈ、６ＣＨ、９ＣＨ）となっている。本例では、同一グループ内の各チャンネルはチューニング電圧Ｖｔが同一の場合を例示しているが、必ずしも同一電圧である必要はなく、許容されるロックアップタイムを実現できる範囲内であれば電圧幅を持たせることも可能である。図３（ａ）に示す選局順序では、第１のＯＳＣバンドの最低周波数チャンネルである１チャンネルからスタートする。まず、グループ１を構成するチャンネルをスキャンする。１チャンネルから第２のＯＳＣバンドの最低周波数チャンネルである４チャンネル、４チャンネルから第３のＯＳＣバンドの最低周波数チャンネルである７チャンネルへと選局順序を制御する。各ＯＳＣバンドの最低周波数チャンネル（１ＣＨ，４ＣＨ，７ＣＨ）はチューニング電圧Ｖｔが同一（１Ｖ）であるので、ロックアップタイムは非常に短縮化される。
【００３６】
第３のＯＳＣバンドの最低周波数チャンネルである７チャンネルの次は、同一ＯＳＣバンド内の隣接チャンネルである８チャンネルを選局する。このとき、７チャンネルから８チャンネルへと選局を変えるときにチューニング電圧Ｖｔを１ステップアップするが、最小ステップの電圧変化であるので、ロックアップタイムは短くて済む。
【００３７】
８チャンネルはグループ２を構成しているので、グループ２のチャンネルをスキャンする。第３のＯＳＣバンドの８チャンネルから、第２のＯＳＣバンドの５チャンネル、第１のＯＳＣバンドの２チャンネルへと選局順序を制御する。これら各ＯＳＣバンドの各チャンネル（２ＣＨ，５ＣＨ，８ＣＨ）はチューニング電圧Ｖｔが同一であるので、ロックアップタイムは非常に短縮化される。
【００３８】
第１のＯＳＣバンドの２チャンネルの次は、同一ＯＳＣバンド内の隣接チャンネルである３チャンネルを選局する。このとき、２チャンネルから３チャンネルへと選局を変えるときにチューニング電圧Ｖｔを１ステップアップするが、最小ステップの電圧変化であるので、ロックアップタイムは短くて済む。
【００３９】
３チャンネルはグループ３を構成しているので、グループ３のチャンネルをスキャンする。第１のＯＳＣバンドの３チャンネルから、第２のＯＳＣバンドの６チャンネル、第３のＯＳＣバンドの８チャンネルへと選局順序を制御する。これら各ＯＳＣバンドの各チャンネル（３ＣＨ，６ＣＨ，９ＣＨ）はチューニング電圧Ｖｔが同一（３０Ｖ）であるので、ロックアップタイムは非常に短縮化される。
【００４０】
このように、図３（ａ）に示すようにチャンネルをグループ順に選択することにより、選局チャンネルの変化に伴うチューニング電圧Ｖｔの変化幅は無いか又は最小ステップ以下の電圧変化であるので、全体としてチャンネルスキャン完了までに要する時間を短縮することができる。
【００４１】
また、図３（ｂ）に示すように、高電圧側のグループ３からスキャンを開始しても良い。第３のＯＳＣバンドの最高周波数チャンネルである９チャンネルからスタートする。９チャンネルから第２のＯＳＣバンドの最高周波数チャンネルである６チャンネル、６チャンネルから第１のＯＳＣバンドの最高周波数チャンネルである３チャンネルへと選局順序を制御する。
【００４２】
第１のＯＳＣバンドの３チャンネルの次は、同一ＯＳＣバンド内の隣接チャンネル（グループ２）である２チャンネルを選局する。第１のＯＳＣバンドの２チャンネルから、第２のＯＳＣバンドの４チャンネル、第３のＯＳＣバンドの８チャンネルへと選局順序を制御する。さらに、第３のＯＳＣバンドの８チャンネルの次は、同一ＯＳＣバンド内の隣接チャンネルである７チャンネル（グループ１）を選局する。そして、第３のＯＳＣバンドの７チャンネルから、第２のＯＳＣバンドの４チャンネル、第１のＯＳＣバンドの１チャンネルへと選局順序を制御する。
【００４３】
このように、図３（ｂ）に示すように選局順序を選択しても、選局チャンネルの変化に伴うチューニング電圧Ｖｔの変化幅は無いか又は最小ステップの電圧変化であるので、全体としてチャンネルスキャン完了までに要する時間を短縮することができる。
【００４４】
また、図３（ｃ）に示すように、チャンネルをチューニング電圧Ｖｔでグループ分けしなくても選局順序を最適化することができる。第１のＯＳＣバンドの最低周波数チャンネルである１チャンネルからスタートし、第１のＯＳＣバンド内を２チャンネル、３チャンネルと順番に選局する。第１のＯＳＣバンドの最高周波数チャンネルである３チャンネルの次は、同一のチューニング電圧Ｖｔである第２のＯＳＣバンドの最高周波数チャンネルである６チャンネルを選局する。そして、第２のＯＳＣバンド内を５チャンネル、４チャンネルと順番に選局する。第２のＯＳＣバンドの最低周波数チャンネルである４チャンネルの次は、同一のチューニング電圧Ｖｔ（１Ｖ）である第３のＯＳＣバンドの最低周波数チャンネルである７チャンネルを選局する。そして、第３のＯＳＣバンド内を８チャンネル、９チャンネルと順番に選局する。なお、第１のＯＳＣバンドの最高周波数チャンネルである３チャンネルの次は、第２のＯＳＣバンドではなく、もう一つの同一チューニング電圧Ｖｔである第３のＯＳＣバンドの最高周波数チャンネルである９チャンネルを選局し、第３のＯＳＣバンドを順に選局した後、７チャンネルから第２のＯＳＣバンドの最低周波数チャンネルである４チャンネルを選局するようにしても良い。
【００４５】
なお、上記以外の選局順序であっても良いが、選局チャンネルが変化する時にチューニング電圧Ｖｔが大きく変化しないように選局順序を最適化することが重要である。
【００４６】
次に、以上のようなチャンネルスキャンを実施する場合の放送信号受信装置の動作について説明する。
【００４７】
ホスト４は、電源起動時にＲＯＭ１７から選局順序データを読み出してチャンネルスキャンを実施する。たとえば、図３（ａ）に示す選局順序データがＲＯＭ１７に格納されているものとする。ホスト４は、第１のＯＳＣバンドのチャンネル１を選局する選局指令信号及び第１のＯＳＣバンドを選択するバンド切替信号をＭＰＥＧデコーダ３及び復調器２を経由してチューナ部１へ送出する。
【００４８】
チューナ部１では、ＰＬＬ回路１６に選局指令信号及びバンド切替信号が入力される。ＰＬＬ回路１６の分周器２２には選局指令信号によってチャンネル１を受信するための発振周波数に応じた分周数ＲおよびＮが設定される。また、切替部１５はバンド切替信号によって第１のＯＳＣバンドをカバーする第１の周波数可変発振器１４ａが切替端子１５ａを介してミキサ１２に接続するように切替端子１５ａを選択する。これにより、放送信号中の１チャンネルの周波数成分をベースバンド周波数に変換する発振周波数となるようにチューニング電圧Ｖｔ（１Ｖ）が制御される。第１の周波数可変発振器１４ａはチューニング電圧Ｖｔに応じた発振周波数で発振し、この発振周波数の発振信号が切替端子１５ａを介してミキサ１２へ入力される。ミキサ１２で放送信号と発振信号とが混合して放送信
号中の１チャンネルの周波数成分がベースバンド周波数に変換される。ホスト４では、１チャンネル選局時の復調器出力から信号の有無を確認する。１チャンネルについて信号の確認が完了すると、選局順序データに示された次チャンネルを上記同様にして選局する。図３（ａ）に示す選局順序では第２のＯＳＣバンドの４チャンネルを選局することになる。選局指令信号が入力されたＰＬＬ回路１６では、直前の選局チャンネル（１チャンネル）と今回の選局チャンネル（４チャンネル）とではチューニング電圧Ｖｔが同一であるので、第２のＯＳＣバンドの第２の周波数可変発振器１４ｂは既に４チャンネル受信のための発振周波数にチューニングされている。したがって、切替部１５がバンド切替信号に基づいて切替端子１５ａから切替端子１５ｂに切り替えるだけでチューニング動作を完了する。次に、第３のＯＳＣバンドの７チャンネルを選局した際も同様の動作及びロックアップタイムとなる。次に、選局チャンネルが７チャンネルから８チャンネルに切り替える際に、ＰＬＬ回路１６の分周器２２に新たな分周数ＲおよびＮが設定されるが、チューニング電圧Ｖｔが最小の変化幅である１ステップしかアップしないので、第３の可変周波数発振器１４ｃの発振周波数が設定されるまでのロックアップタイムは短い時間で済む。上記したように、図３（ａ）に示す選局順序でチャンネルスキャンを行う場合、チューニング電圧Ｖｔの変化が無いか又は最小の変化幅となる。
【００４９】
このように、本実施の形態によればチャンネルスキャン時の選局順序をロックアップタイムを短縮する観点から、チャンネル変化時のチューニング電圧Ｖｔの変化幅が無いか又は最小となるように最適化したので、チャンネル選局時のロックアップタイムを短縮できると共にチャンネルスキャン全体に要する時間も短縮することができる。
【００５０】
なお、以上の説明ではホスト４からＭＰＥＧデコーダ３及び復調部２を経由してチューナ部１に選局指令信号及びバンド切替信号を送信する構成であるが、ホスト４からチューナ部１に直接入力する構成としても良い。また、図２に示すＰＬＬ回路１６のように分周数Ｒによってチューニング電圧Ｖｔを制御する構成に限定されるものではなく、ホストからの指令信号に基づいてチューニング電圧（発振周波数）を可変であれば、他の構成であっても良い。また、放送信号がＭＰＥＧ以外の方式で符号化されている場合は、符号化方式に対応したデコーダを用いることになる。さらに、テレビジョン放送だけでなく、ＦＭ放送に対するチャンネルスキャンにも適用可能である。
【産業上の利用可能性】
【００５１】
本発明は、チューナにおいてチャンネルスキャンを行う放送信号受信装置に適用可能である。
【図面の簡単な説明】
【００５２】
【図１】本発明のチャンネルスキャン方法を実行する一実施の形態に係る放送信号受信装置の構成図
【図２】図１に示すＰＬＬ回路の概略的な構成図
【図３】上記一実施の形態において実行されるチャンネルスキャン時の選局順序を示す図
【図４】従来のチャンネルスキャン時の選局順序を示す図
【符号の説明】
【００５３】
１…チューナ部
２…復調部
３…ＭＰＥＧデコーダ
４…ホスト
１１…高周波増幅器
１２…ミキサ
１３…ベースバンド周波数増幅器
１４…局部発振部
１４ａ…第１の周波数可変発振器
１４ｂ…第２の周波数可変発振器
１４ｃ…第３の周波数可変発振器
１５…切替部
１５ａ，１５ｂ，１５ｃ…切替端子
１６…ＰＬＬ回路
２１…基準信号発振器
２２…分周器（分周数Ｒ）
２３…分周器（分周数Ｎ）
２４…位相比較器
２５…チャージポンプ
２６…ＬＰＦ
【図１】
2009232355.tif 000003
【図２】
2009232355.tif 000004
【図３】
2009232355.tif 000005
【図４】
2009232355.tif 000006